(57)【特許請求の範囲】
【請求項１】
ユニット化用組立材により互いに所定の間隙（１３）の目地（１４）を設けて組み立てられた複数の外壁パネル（１１，１２）  と、前記外壁パネル（１１，１２）  の上端部に配置された水切り板（１５，１６）  と、前記外壁パネル（１１，１２）  の目地（１４）に沿って間隙（１３）内に嵌着したガスケットシール材（３０）とを備えた外壁パネルのシール構造（１）  において、
前記水切り板（１５，１６）  の上面に前記目地（１４）側の端部から前記外壁パネル（１１，１２）  の長手方向に沿って延びる板状の突起（２３，２４）  を設け、前記ガスケットシール材（３０）の長手方向の端部に略Ｈ字状のガスケットクリップ材（４０）を係止し、前記ガスケットクリップ材（４０）の両側の凹溝（４２，４３）  を前記突起（２３，２４）  に係止して前記ガスケットクリップ材（４０）を前記水切り板（１５，１６）  上に架橋配置したことを特徴とする外壁パネルのシール構造。
【発明の詳細な説明】
【０００１】
【発明の属する技術分野】
本発明は、住宅構造用の複数の矩形平板状外壁パネルを組み立てる場合、左右に隣接する外壁パネルの互いに所定の間隙を設けた箇所（以下、目地と称する）内に適用される外壁パネルのシール構造に関するものである。
【０００２】
【従来の技術】
一般に住宅建築物の外壁パネルの目地には、ガスケットシール材が嵌着され、このシール材により雨水の住居空間への侵入を防止している。この外壁パネルのシール構造の単純なタイプの一従来例としては、図５に示したものが知られている。
図６に示すように、従来の外壁パネルのシール構造１０１においては、所定の間隙１１３を置いて互いに隣接する矩形平板状の複数の外壁パネル１１１，１１２により構成される目地１１４に対して、その横断面が略Ｉ字状に形成された躯体部１３１及びその中間域１３２の左右に突設した複数の可撓性フィン部１３３，１３４を具備してなるガスケットシール材１３０が嵌着されている。外壁パネル１１１，１１２の上面には、断面Ｌ字状で下面に当て板１２５が突設された水切り板１１５，１１６が配置され、この水切り板１１５，１１６の上に目地１１４を閉塞する防水シート１５１が貼り付けられている。
このように構成された従来の外壁パネルのシール構造１０１は、その単純な構成によって極めて効率よく外壁パネル１１１，１１２を組み立てて、ユニット化することに適しているものである。
【０００３】
【発明が解決しようとする課題】
しかしながら、上述した従来の外壁パネルのシール構造１０１では、目地１１４に対するガスケットシール材１３０の密着力が可撓性フィン部１３３，１３４の弾性のみに依存しているので、施工上のバラツキ等による目地１１４の間隙１１３が設定値よりも大きい場合、あるいは可撓性フィン部１３３，１３４の弾性の経時変化（劣化）が生じた場合、ガスケットシール材１３０の密着性が低下して、ガスケットシール材１３０が位置ずれすることがあり、最悪の場合にはガスケットシール材１３０が目地１１４から脱落してしまう心配もある。
【０００４】
本発明の目的は、上記従来技術の課題を解消することにあり、ガスケットシール材が位置ずれを確実に防止することができる外壁パネルのシール構造を提供することにある。
【課題を解決するための手段】
上記課題は、ユニット化用組立材により互いに所定の間隙の目地を設けて組み立てられた複数の外壁パネルと、前記外壁パネルの上端部に配置された水切り板と、前記外壁パネルの目地に沿ってその間隙内に嵌着したガスケットシール材とを備えた外壁パネルのシール構造において、
前記水切り板の上面に前記目地側の端部から前記外壁パネルの長手方向に沿って延びる板状の突起を設け、前記ガスケットシール材の長手方向の端部に略Ｈ字状のガスケットクリップ材を係止し、前記ガスケットクリップ材の両側の凹溝を前記突起に係止して前記ガスケットクリップ材を前記水切り板上に架橋配置したことを特徴とする外壁パネルのシール構造によって解決することができる。
【０００５】
上記構成の外壁パネルのシール構造は、ガスケットシール材に係止された略Ｈ字状のガスケットクリップ材が外壁パネルの上面に架橋配置されると共に、ガスケットクリップ材の両側の凹溝が水切り板の突起に係止されるので、ガスケットクリップ材が位置ずれするのを確実に防止できる。したがって、ガスケットクリップ材に係止されているガスケットシール材が位置ずれしたり、脱落したりするのを確実に防止することができる。
【０００６】
【発明の実施の形態】
以下、本発明に係る外壁パネルのシール構造の一実施形態について、図１乃至図５に基づいて詳細に説明する。
図１は本発明に係る外壁パネルのシール構造を示す斜視図、図２はガスケットクリップ材の平面図、図３は図２におけるＡ−Ａ断面図、図４はガスケットクリップ材をガスケットシール材に取り付けた状態を示す平面図、図５は本発明に係る別のガスケットクリップ材の平面図である。
図１に示すように、本実施形態の外壁パネルのシール構造１においては、ユニット化用組立材（  図示せず）の隣接する外壁パネル１１，１２の間に所定の間隙１３が開けられて目地１４が設けられている。この外壁パネル１１，１２の上端面には、外壁パネル１１，１２の上側から落下してきた水分を外壁パネル１１，１２の外側に導くための水切り板１５，１６が取り付けられている。
【０００７】
この水切り板１５，１６は、外壁パネル１１，１２の上端面と平行な水平部１７，１８を有し、この水平部１７，１８の内端に立ち上げ部１９，２０が設けられ、外端に立ち下げ部２１，２２が設けられている。また、水切り板１５，１６の水平部１７，１８の上面には、目地１４側の端部から外壁パネル１１，１２の長手方向に延びる板状の突起２３，２４が設けられている。
この突起２３，２４は、目地１４を挟んで対向している。水平部１７，１８の内表面には、突起２３，２４の裏側に位置する当て板２５，２６が設けられている。この当て板２５，２６と立ち下げ部２１，２２との間に外壁パネル１１，１２を嵌め込むことによって、水切り板１５，１６が位置決めされている。
【０００８】
また、目地１４内には、ガスケットシール材３０が嵌着されている。このガスケットシール材３０は、弾性材料で横断面が略Ｉ字状に形成された躯体部３１を有し、この躯体部３１の中間域３２の左右に複数の可撓性フィン部３３，３４が設けられている。この可撓性フィン部３３，３４は、両端が目地１４の間隔１３よりも幅広に成形され、その弾性力によって目地１４内に密着している。このガスケットシール材３０は、目地１４の全長と略同一の長さを有している。
【０００９】
また、ガスケットシール材３０の上端部には、ガスケットクリップ材４０が取り付けられている。このガスケットクリップ材４０は、図２に示すように、例えば、ステンレス鋼板材あるいは亜鉛メッキ鋼板材などの金属平板を打ち抜き加工して形成したもので、略Ｈ字状の本体部４１と、本体部４１の両側の凹溝４２，４３の底部から斜め下側に突設された係止部４４，４５とを有している。係止部４４，４５の先端には、図３に示すように内側に折り曲げられた鋸歯状の係止片４６，４７が設けられている。
【００１０】
このガスケットクリップ材４０は、図４に示すようにガスケットシール材３０の上端面に載置され、係止部４４，４５が可撓性フィン部３３，３４の間に挿入され、係止部４４，４５を下側に折り曲げて係止片４６，４７をガスケットシール材３０に食い込ませる。これによって、ガスケットクリップ材４０がガスケットシール材３０の中間域３２に確実に係止される。
【００１１】
次に、ガスケットシール材３０を目地１４に嵌着する際には、図１に示すように外壁パネル１１，１２を適当なユニット化組立材（図示せず）で互いに所定の間隙１３を以て予め組み立て、外壁パネル１１，１２の上面に水切り板１５，１６を取り付ける。また、予めガスケットシール材３０の長手方向の端部にガスケットクリップ材４０を係止する。
【００１２】
次に、目地１４に沿ってガスケットシール材３０を嵌入する。このとき、ガスケットシール材３０の上端面に係止されたガスケットクリップ材４０の凹溝４２，４３を水切り板１５，１６の突起２３，２４に係止し、ガスケットシール材３０を下側にずらしてガスケットクリップ材４０の本体部４１を水切り板１５，１６上に架橋配置する。
【００１３】
次に、ガスケットクリップ材４０の本体部４１を打鋲または接着処理により水切り板１５，１６に固定する。次に、目地１４を塞ぐため突起２３，２４の両側にガスケットクリップ材４０の上から防水シート５１，５２を貼り付ける。これによって、外壁パネルのシール構造１の組み付けが完了する。
【００１４】
上述したように本実施の形態例の外壁パネルのシール構造１においては、ガスケットシール材３０の上端面に略Ｈ字状のガスケットクリップ材４０が係止され、このガスケットクリップ材４０の凹溝４２，４３が水切り板１５，１６の突起２３，２４に係止されている。
したがって、施工上のバラツキ等による目地１４の間隙１３が設定値よりも大きい場合、或いはガスケットシール材３０の可撓性フィン部３３，３４の弾性の経時変化（劣化）が生じた場合、更には地震などで両側の外壁パネル１１，１２が互いに位置ずれしたような場合でも、ガスケットシール材３０が位置ずれしたり、脱落したりするのを確実に防止することができ、外壁の免震構造にも好適である。
また、ガスケットクリップ材４０によって、ガスケットシール材３０の嵌着位置決め及び収縮防止などガスケットシール材３０の安定した施工が可能である。
【００１５】
また、図５に示すように上述したガスケットクリップ材とは別構成のガスケットクリップ材６０は、本体部６１を延設して係止部６４，６５を２組又は２組以上設けることも可能である。係止部６４，６５を２組以上にすると係止片６６，６７をガスケットシール材３０へ食い込ませる位置が調整でき、ガスケットシール材３０の断面方向での挿入深さの調整が可能となる。
【００１６】
【発明の効果】
以上説明したように本発明に係る外壁パネルのシール構造によれば、水切り板の上面に目地側の端部から外壁パネルの長手方向に沿って延びる板状の突起を設け、ガスケットシール材の長手方向の端部に略Ｈ字状のガスケットクリップ材を係止し、ガスケットクリップ材の両側の凹溝を突起に係止してガスケットクリップ材を水切り板上に架橋配置したので、ガスケットクリップ材が位置ずれするのを確実に防止できる。
したがって、ガスケットクリップ材に係止されているガスケットシール材が位置ずれしたり、脱落したりするのを確実に防止することができると共に、ガスケットクリップ材によって、ガスケットシール材のガスケットシール材の嵌着位置決め及び収縮防止などガスケットシール材の安定した施工が可能になる。
また、ガスケットクリップ材は、本体部を延設して係止部を２組または２組以上にしても良い。係止部を２組以上にすると係止片をガスケットシール材へ食い込ませる位置が調整できるため、ガスケットシール材の断面方向での挿入深さの調整が可能となる。
【図面の簡単な説明】
【図１】本発明に係る外壁パネルのシール構造を示す斜視図である。
【図２】図１におけるガスケットクリップ材の平面図である。
【図３】図２におけるＡ−Ａ断面図である。
【図４】図１におけるガスケットクリップ材をガスケットシール材に取り付けた状態を示す平面図である。
【図５】本発明に係る別のガスケットクリップ材の平面図である。
【図６】従来例の外壁パネルのシール構造を示す斜視図である。
【符号の説明】
１      外壁パネルのシール構造
１１，１２  外壁パネル
１３    間隙
１４    目地
１５，１６  水切り板
１７，１８  水平部
１９，２０  立上げ部
２１，２２  立下げ部
２３，２４  突起
２５，２６  当て板
３０    ガスケットシール材
３１    躯体部
３２    中間域
３３，３４  可撓性フィン部
４０    ガスケットクリップ材
４１    本体部
４２，４３  凹溝
４４，４５  係止部
４６，４７  係止片
５１，５２  防水シート
６０    ガスケットクリップ材
６１    本体部
６２，６３  凹溝
６４，６５  係止部
６６，６７  係止片
【図１】
0003589371.tif 000002
【図２】
0003589371.tif 000003
【図３】
0003589371.tif 000004
【図４】
0003589371.tif 000005
【図５】
0003589371.tif 000006
【図６】
0003589371.tif 000007